(57)【要約】【課題】本実施の形態は、ユーザに取って利便性の高い画像処理装置および情報処理装置を提供することである。【解決手段】透明表示部を透過したオブジェクトの像を撮像した画像を処理する画像処理装置は、取得部と、制御部とを備える。取得部が、画像に認識処理を施して得た前記オブジェクトに対応した表示情報を取得する。制御部が、オブジェクトの像を透過している透明表示部に取得した表示情報に応じた映像を表示させる。【選択図】図４
2016045882.tif 000002
【特許請求の範囲】
【請求項１】
透明表示部を透過したオブジェクトの像を撮像した画像を処理する画像処理装置であって、
前記画像に認識処理を施して得た前記オブジェクトに対応した表示情報を取得する取得部と、
前記透明表示部に前記表示情報に応じた映像を表示させる制御部と、
を備えることを特徴とする画像処理装置。
【請求項２】
前記取得部は、
前記画像に認識処理を施して前記オブジェクトの識別情報を得る画像認識部と、
複数の識別情報のそれぞれに対応した表示情報を記憶する記憶部と、
前記画像認識部にて得られた識別情報に対応する表示情報を前記記憶部から取得する情報取得部と、
を備えることを特徴とする請求項１に記載の画像処理装置。
【請求項３】
前記オブジェクトは、文字列を含んでおり、
前記画像認識部は、前記文字列の像に認識処理を施して前記文字列の識別情報を取得し、
前記制御部は、前記識別情報から得た前記表示情報に応じた映像とともに、前記文字列を明示する映像を前記透明表示部に表示させることを特徴とする請求項２に記載の画像処理装置。
【請求項４】
前記透明表示部を透過したオブジェクトの像を撮像する撮像部をさらに備えることを特徴とする請求項１に記載の画像処理装置。
【請求項５】
前記制御部は、前記オブジェクトの像の単位時間当たりの変化が所定値以上になった場合に、前記撮像部に撮像停止を指示することを特徴とする請求項４に記載の画像処理装置。
【発明の詳細な説明】
【技術分野】
【０００１】
本発明の実施形態は、撮像した画像を処理する画像処理装置および情報処理装置に関する。
【背景技術】
【０００２】
ある単語の意味を調べたり、別の言語に翻訳する際に、電子辞書端末や電子辞書ソフトウェアを使用することが多くなってきた。紙の辞典では単語を調べるために手作業でページをめくらなければならないのに対して、電子辞書端末では、単語を入力するだけで、自動的に検索結果を得ることができる。また、電子辞書ソフトウェアでは、コピー＆ペーストやマウスクリック等で検索すべき単語を選択でき、さらに効率的に辞書検索を行うことができる。
【０００３】
ただし、既存の電子辞書端末や電子辞書ソフトウェアでは、電子辞書端末に付属の表示画面や、電子辞書ソフトウェアを起動しているコンピュータの画面に、検索結果が表示されるため、単語の検索結果を確認するには、ユーザが読んでいる紙面から必ず目をそらさなければならず、ユーザの集中力をそぐおそれがあり、利便性をより高める工夫が望まれている。
【先行技術文献】
【特許文献】
【０００４】
【特許文献１】特開２０１３−１７４６８６号公報
【発明の概要】
【発明が解決しようとする課題】
【０００５】
本実施の形態は、ユーザに取って利便性の高い画像処理装置および情報処理装置を提供することである。
【課題を解決するための手段】
【０００６】
本実施形態によれば、透明表示部を透過したオブジェクトの像を撮像した画像を処理する画像処理装置であって、取得部と、制御部とを備える。前記取得部が、前記画像に認識処理を施して得た前記オブジェクトに対応した表示情報を取得する。前記制御部が、前記オブジェクトの像を透過している前記透明表示部に前記取得した表示情報に応じた映像を表示させる。
【図面の簡単な説明】
【０００７】
【図１】一実施形態の情報処理装置の構成を示す模式図である。
【図２】一実施形態の情報処理装置の構成を示す模式図である。
【図３】一実施形態の情報処理装置の構成を示す模式図である。
【図４】一実施形態の情報処理装置の構成を示すブロック図である。
【図５】一実施形態の情報処理装置の処理を説明するためのフローチャートである。
【図６】一実施形態の表示情報を取得する処理を説明するためのフローチャートである。
【図７】一実施形態の情報処理装置の表示情報に対応する映像の一例を示す図である。
【発明を実施するための形態】
【０００８】
以下、図面を参照して実施形態を説明する。以下の実施形態は、あくまで一例であって本発明を限定するものではない。
【０００９】
図１〜図３は、一の実施形態による情報処理装置１００の構成を示す模式図である。図１〜図３の情報処理装置１００は、オブジェクトを撮像する撮像部２１０を有する筐体部２００と、透明表示部３００を備えている。筐体部２００には、画像処理装置が内蔵されている。画像処理装置の具体的な構成については後述する。
【００１０】
情報処理装置１００は、透明表示部３００を透過した画像の少なくとも一部であるオブジェクトの像を撮像部２１０にて撮像し、その撮像画像の認識処理を筐体部２００にて行って、オブジェクトに対応した表示情報を取得し、この表示情報に応じた映像を透明表示部３００に表示させるものである。
【００１１】
ＣＭＯＳセンサやＣＣＤセンサなどからなる撮像部２１０は、筐体部２００に内蔵されている。透明表示部３００は、その直下に配置された紙面等の画像を透過して表示させる。透過した画像の中に、オブジェクトの像が含まれる。撮像部２１０は、透明表示部３００を介してオブジェクトの像を撮像する。透明表示部３００は、撮像部２１０にて撮影可能な範囲４００を、例えば矩形の枠で表示してもよい。撮影可能な範囲では、撮像部２１０の焦点が合っており、この範囲に含まれるオブジェクトの像を画像処理の対象とする。
【００１２】
図１は、筐体部２００が透明表示部３００に対して回動可能に支持されている例を示している。図１（ａ）は撮像部２１０の焦点が透明表示部３００の表面に一致するように筐体部２００を回動させた状態、図１（ｂ）は筐体部２００を透明表示部３００の表面に重ねて配置した状態をそれぞれ示している。撮像部２１０による撮像を行わない場合は、図１（ｂ）のように筐体部２００と透明表示部３００とを重ねて配置できるため、持ち運びに便利である。筐体部２００は、透明表示部３００の一端部に沿って伸びる回動軸２０１周りに回動可能とされている。
【００１３】
透明表示部３００を透過した画像を撮像部２１０が鮮明に撮像するためには、撮像部２１０の焦点が、透明表示部３００の表面に一致している必要がある。ところが、筐体部２００の回動角度に応じて、撮像部２１０と透明表示部３００との距離が変化する。よって、撮像部２１０の焦点が透明表示部３００の表面に一致する回動角度になったときに筐体部２００が一時的に固定されるようなクリック構造を回動軸２０１およびその軸受けに持たせてもよい。
【００１４】
一方、図２の筐体部２００は、透明表示部３００に着脱可能とされている。図２（ａ）は筐体部２００を透明表示部３００から取り外した状態、図２（ｂ）は撮像部２１０の焦点が透明表示部３００の表面に一致するような回動角度に設定した状態、図２（ｃ）は筐体部２００を透明表示部３００の表面に重ねて配置した状態をそれぞれ示している。撮像部２１０による撮像を行わない場合は、図２（ａ）のように筐体部２００を透明表示部３００から分離してもよいし、図２（ｃ）のように筐体部と透明表示部３００を重ねて配置してもよい。
【００１５】
図２の筐体部２００は、その一側面の両端に着脱可能に取り付けられる支持片２２８を介して透明表示部３００に接続されている。支持片２２８は、筐体部２００に着脱可能であるため、撮像部２１０を内蔵する汎用的な通信端末（例えば、携帯電話やスマートフォン）を筐体部２００として使用可能である。ただし、支持片２２８は、その両端側に突起部が設けられており、一端側の突起部は筐体部２００に係合され、他端側の突起部は透明表示部３００に係合される。よって、これら突起部を係合させる孔が筐体部２００と透明表示部３００のそれぞれに必要となる。他端側の突起部を透明表示部３００の側面に設けられた孔部に係合させることで、筐体部２００は、支持片２２８を介して透明表示部３００に対して回動可能になる。
【００１６】
なお、支持片２２８は、筐体部２００の外表面を保護するカバーと一体化していてもよい。この場合、支持片２２８の一端側には突起部を設ける必要はなく、筐体部２００にも孔部は不要である。このように、カバーに一体的に支持片２２８が取り付けられていれば、カバーに筐体部２００を収納した状態で、支持片の他端側の突起部を透明表示部３００に係合させれば、図１と同様に、筐体部を透明表示部３００に対して回動可能にすることができる。
【００１７】
また、図２の場合も、支持片２２８の突起部にクリック構造を持たせることで、透明表示部３００に対する筐体部２００の回動角度が所定の角度になったときに支持片２２８の回動を一時的に停止させて、撮像部２１０の焦点が透明表示部３００の表面に一致させることができる。
【００１８】
上述したように、撮像部２１０の焦点が透明表示部３００の表面に一致している場合であっても、撮像部２１０にて鮮明に画像を撮像できる範囲は限られている。よって、透明表示部３００の表面に、オブジェクトを抽出可能な範囲４００を示す枠を表示してもよい。この枠は、筐体部２００からの映像信号に基づいて透明表示部３００に表示してもよいし、透明表示部３００の表面に予め印刷等で表示してもよい。
【００１９】
筐体部２００からの映像信号は、無線で透明表示部３００に送信される。この無線方式として、例えばＢｌｕｅｔｏｏｔｈ（登録商標）が用いられるが、他の無線方式を採用してもよい。
【００２０】
一方、図３の筐体部２００と透明表示部３００との位置関係は固定になっている。このように、筐体部２００に回動機構や着脱機構を具備しないことにより、製造コストを低減することができ、また、製品の耐久性を向上させることができる。さらに、筐体部２００の高さを低くすれば、持ち運びやすさを著しく悪化させることはない。なお、単に筐体部２００を低くするだけでは、撮像部２１０の撮像画像において焦点の合う範囲が狭くなる可能性があるが、後述する撮像部２１０におけるピント合わせの工夫により、焦点の合う範囲が狭いという問題は解消することが可能である。
【００２１】
図４（ａ）は、一実施形態の情報処理装置１００の構成の一例を示すブロック図である。情報処理装置１００は、筐体部２００と、透明表示部３００と、を備えている。筐体部２００は、撮像部２１０と、取得部２２０と、制御部２３０と、を有する。筐体部２００に内蔵された画像処理装置は、取得部２２０と制御部２３０とを少なくとも含んでいる。
【００２２】
次に、図４（ａ）で示される各構成について以下で詳細に説明する。
【００２３】
（撮像部２１０）
撮像部２１０は、透明表示部３００を透過したオブジェクトの像を撮像して画像データに変換する。この撮像部２１０は、レンズや電子ズームを用いて撮像範囲と焦点を変更可能な機能を備えていてもよい。あるいは、撮像部２１０は、単焦点のレンズを備えていてもよい。
【００２４】
図１に示す透明表示部３００の表面の範囲４００は撮像部２１０の焦点が合う範囲であり、この範囲で画像データを取得する。あるいは、撮像部２１０の焦点を変えて撮像した複数の画像を合成することで、透明表示部３００の全体に焦点が合った画像データを取得してもよい。この場合、範囲４００は透明表示部３００の全範囲になるため、範囲４００を示す枠の表示は不要である。なお、撮像部２１０は、動画撮像と静止画撮像の少なくとも一方を行う。
【００２５】
（取得部２２０）
図４（ｂ）は取得部２２０の内部構成の一例を示すブロック図である。取得部２２０は、画像認識部２２１と、情報取得部２２２と、記憶部２２３と、を有する。この画像認識部２２１は、画像データに認識処理を施してオブジェクトの識別情報を得る。記憶部２２３は、複数の識別情報のそれぞれに対応した表示情報を予め記憶している。情報取得部２２２は、識別情報に対応する表示情報を記憶部２２３から取得する。このように、取得部２２０は、画像データに認識処理を施して得たオブジェクトに対応した表示情報を取得する。
【００２６】
図４（ｂ）で示される取得部２２０の各構成について以下で詳細に説明する。
【００２７】
（画像認識部２２１）
画像認識部２２１は、撮像された画像データ画像の歪みを補正処理する。例えば、透明表示部３００を透過したキャリブレーション用のパターン画像を撮像した画像と、撮像前のパターン画像とのマッチング処理により補正データを生成し、この補正データを用いて撮像画像の補正処理を行う。このような補正データは、例えば、透明表示部３００を透過したキャリブレーション用のパターン画像と撮像前のパターン画像との関係を示す逆射影変換行列である。この逆射影変換行列を用いて画像認識部２２１にて画像データを行列変換することで、撮像で生じた歪を取り除くことができる。
【００２８】
なお、透明表示部３００に対する筐体部２００の回動角度を複数通りに変化させて、それぞれの回動角度で撮像を行う場合は、各回動角度ごとに補正データを予め取得して保存しておく。
【００２９】
また、画像認識部２２１は、歪みを除いた画像データに対してノイズ除去を行う。このとき、空間方向のノイズ除去フィルタを用いてもよいし、時間方向のノイズ除去フィルタを用いてもよいし、また、その両方を用いてもよい。そして、画像認識部２２１は、ノイズ除去後の画像データを用いてオブジェクトのデータを抽出し、認識処理を施してオブジェクトの識別情報を得る。ここで、識別情報とは、オブジェクトに関連づけられた情報であり、例えばオブジェクトが文字列であれば、画像認識で得られた文字列が識別情報となる。
【００３０】
また、画像認識部２２１は、透明表示部３００上のオブジェクトの表示状態や表示位置を制御するための付属情報を生成してもよい。
【００３１】
（情報取得部２２２）
情報取得部２２２は、記憶部２２３から、画像認識部２２１で得られたオブジェクトの識別情報に対応した表示情報を得る。
【００３２】
（記憶部２２３）
記憶部２２３は、識別情報と、それに対応した表示情報とを複数記憶する。例えば、記憶部２２３は、英語の文字列を識別情報とする英単語に対応した表示情報を記憶する。この場合の表示情報とは、英単語の逐語訳である。すなわち、この場合の記憶部２２３は、英単語を主キーとする識別情報に対応した逐語訳を表示情報とするリレーショナルデータベースである。
【００３３】
なお、記憶部２２３は、例えば、ＲＯＭ、フラッシュメモリ、ＮＡＮＤ型メモリなどの不揮発メモリとして実装することができる。また、例えば、記憶部２２３をサーバ等の外部機器に設けて、Ｗｉ−Ｆｉ（登録商標）やＢｌｕｅｔｏｏｔｈ等の通信ネットワークを介して、情報取得部２２２が記憶部２２３にアクセスするようにしてもよい。
【００３４】
図４（ｂ）は、取得部２２０にて画像認識と表示情報の取得を行う例を示したが、取得部２２０とは別個に設けられる不図示の処理装置（例えば、サーバ）にて画像認識と表示情報の取得を行うようにしてもよい。この場合の取得部２２０は、例えば図４（ｃ）のようなブロック図で表される。
【００３５】
図４（ｃ）の取得部２２０は、画像データを処理装置に送信する送信部２２４と、認識処理されたオブジェクトに対応した表示情報を処理装置から受信する受信部部２２５と、を有する。この送信部２２４は、撮像した画像に応じて送信先の処理装置を選択するようにしてもよい。例えば、文字列用の認識処理を有する処理装置や、特定の画像の認識処理を有する処理装置などを選択するようにしてもよい。従って、目的にあった専用の処理装置を用いることができるので多種類のオブジェクトに対応できる。
【００３６】
なお、処理装置との通信は、Ｗｉ−ＦｉやＢｌｕｅｔｏｏｔｈ、モバイルネットワーク通信によって行ってもよいし、これらの複数を組み合わせてもよい。
【００３７】
（透明表示部３００）
透明表示部３００は、筐体部２００からの映像信号に応じた画像を表示させることができる。すなわち、透明表示部３００は、映像信号に応じた画像を透明表示部３００の直下に置かれた紙面等に重ねて表示することができる。透明表示部３００は、バックライト装置が不要な自発光型の平面表示装置である有機ＥＬディスプレイなどで構成される。
【００３８】
（制御部２３０）
制御部２３０は、情報処理装置１００内の各部の動作を制御する。制御部２３０は、画像処理に関するアプリケーションソフトウェアを格納するメモリと、このアプリケーションソフトウェアを実行するＣＰＵとを含んでいてもよい。この場合、ＣＰＵは、アプリケーションソフトウェアを実行することにより、撮像部２１０、取得部２２０および透明表示部３００を制御する。
【００３９】
制御部２３０は、撮像部２１０に対してオブジェクトの撮像を指示する。また、制御部２３０は、取得部２２０に対してオブジェクトに対応した表示情報の取得を指示し、取得した表示情報に応じた映像を透明表示部３００に表示する制御を行う。これにより、透明表示部３００を透過するオブジェクトの像と共に、表示情報に応じた映像が透明表示部３００に表示される。このため、ユーザは、透明表示部３００から目を離さずに、オブジェクトに対応する表示情報を視認でき、利便性が向上する。
【００４０】
なお、図２に示す形態において、筐体部２００と透明表示部３００は、通信部２２６，２２７を介して無線で通信する。また、透明表示部３００は、透明表示部３００の移動を検出するセンサ２２９を備え、このセンサ２２９からの信号も通信部２２６を介して送信される。センサ２２９は、例えば加速度センサを用いてもよい。
【００４１】
（一実施形態の画像処理方法）
図５は、一実施形態による画像処理装置および情報処理装置の処理の一例を示すフローチャートである。図６は、英語の文章が書かれた紙面上に透明表示部３００を置いて、英単語の逐語訳を表示情報として取得する処理を説明するフローチャートである。図７は、英文字列からなるオブジェクトの逐語訳を表示情報として表示する具体例を示す図である。
【００４２】
以下では、図５に沿って一実施形態の画像処理方法を説明する。まず、情報処理装置１００の電源を入力する（Ｓ３０１）。このタイミングでセンサ２２９の電源も入力する。
【００４３】
制御部２３０は、透明表示部３００の動きを検出可能なセンサ２２９の出力信号に基づいて、透明表示部３００を透過したオブジェクトの像の単位時間当たりの変化が所定値Ｔｈ１以下か否かを判断する（Ｓ３０２）。所定値Ｔｈ１以下の場合（ＹＥＳの場合）、撮像部２１０にて鮮明な画像を撮像できる可能性が高いことから、制御部２３０はオブジェクトの像の撮像を撮像部２１０に指示する。この指示を受けて、撮像部２１０は、オブジェクトの像の撮像を行い、撮像した画像データを取得部２２０に伝送する（Ｓ３０３）。尚、電源入力のタイミングに同期して撮像部２１０で動画の撮像を開始させるようにしてもよい。この場合、制御部２３０は、時系列に撮像された画像データの動画像に対して動き検出を行った結果に基づいて、オブジェクトの像の単位時間当たりの変化が所定値Ｔｈ１以下か否かを判断してもよい。
【００４４】
次に、画像認識部２２１は、画像データに基づいてオブジェクトおよびその周辺の像の色相、明度、および彩度の少なくとも一つの色情報を得る（Ｓ３０４）。ステップＳ３０４の処理を設けたのは、透明表示部３００に表示情報を表示させる際に、表示情報の色が、オブジェクトおよびその背景の色と同系色にならないようにするためである。
【００４５】
また、画像認識部２２１は、歪を取り除いた画像データを取得する（Ｓ３０５）。この処理は、例えば逆射影変換行列を用いて画像データの歪みを取り除く。画像認識部２２１は、歪を除いた画像データに対してノイズ除去処理を行う（Ｓ３０６）。次に、画像認識部２２１は、ノイズ除去された画像データを用いて文字認識を行い、テキストデータを生成する（Ｓ３０７）。
【００４６】
図６はこのステップＳ３０７の詳細な処理手順の一例を示すフローチャートである。  
画像認識部２２１は、画像データに対して文字の領域とそれ以外の領域とに分ける２値化処理を施す（Ｓ４０１）。例えば、この２値化処理は、所定の画素値以下を有する画素に０の値を与え、それ以外の画素に１の値を与える。
【００４７】
次に、図１に示すＸ方向に配列された画素を“画素行”とし、画素値が０に近い画素行からなる領域を行間スペースと判断する。このようにして、画像認識部２２１は行間スペースの位置情報を取得する（Ｓ４０２）。
【００４８】
次に、画像認識部２２１は、行間スペースの位置情報を用いて行間スペースに挟まれた画素行の二値化データを抽出する（Ｓ４０３）。
【００４９】
次に、画像認識部２２１は、ステップＳ４０３で抽出した二値化データの中から、単語間スペースを検出し、単語間スペースで挟まれた二値化データを単語と認識して、各単語の二値化データを切り出す（Ｓ４０４）。
【００５０】
次に、画像認識部２２１は、各単語毎の二値化データに対して認識処理を施してテキストデータに変換する（Ｓ４０５）。
【００５１】
次に、画像認識部２２１は、例えば、範囲４００内の全ての単語をテキストデータに変換したか否かを判断し（Ｓ４０６）、まだ変換していない行があればステップＳ４０３以降の処理を繰り返す。画像認識部２２１は、全ての行の変換が終了すると、ステップＳ３０７の処理を終了する。
【００５２】
なお、画像認識部２２１は、図６の処理を行うことで、行間スペース、単語間スペース、各単語の表示位置、各単語の文字サイズ、および各単語の文字間隔などを把握できる。これらの情報は、補助情報として情報取得部２２２に送られる。また、この補助情報は、制御部２３０にも送られる。次に、情報取得部２２２は、生成されたテキストデータを用いて記憶部２２３を検索し、各単語別に英単語の逐次翻訳を表示情報として取得する（Ｓ３０８）。
【００５３】
制御部２３０は、補助情報を用いて映像透明表示部３００に表示情報に応じた映像を表示させる（Ｓ３０９）。制御部２３０は、例えば、行間スペースが文字サイズよりも大きい場合には、逐次翻訳の映像を単語の下側（Ｙ方向）の行間スペースに表示する。ここで、映像の文字の大きさは対応する単語を構成する文字と同じ大きさにしてもよい。色情報に基づいて、表示情報が、オブジェクトの像およびその背景像と識別できる映像の色にする。
【００５４】
また、行間スペースに応じて文字の大きさを変更してもよい。例えば、行間スペースの大きさに応じて文字の大きさを小さくした映像を表示するのが望ましい。この場合には、文字の大きさを小さくするに従いオブジェクトの色と異なる色（例えば、オブジェクトの補色）に近づけてもよい。これにより、映像の文字が小さくなっても、オブジェクトと映像との区別が容易になる。また、行間スペースが所定値以下である場合には、行間スペースではない余白に映像を表示させてもよい。
【００５５】
また、認識処理を施した文字列を明示させる単語にアンダーラインの映像を表示させてもよい。または、単語を文字枠で囲んでもよいし、単語やその背景を装飾してもよい。これにより、ユーザは翻訳対象を容易に視認でき、利便性が向上する。
【００５６】
なお、制御部２３０は、オブジェクトに対応する英単語の用法などの詳細情報を外部のディスプレイ、例えばスマートフォンに表示するようにしてもよい。
【００５７】
次に、制御部２３０は、透明表示部３００の動きを検出するセンサの出力信号に基づいて、透明表示部３００を透過したオブジェクトの像の単位時間当たりの変化が所定値Ｔｈ２以上になったか判断する（Ｓ３１０）。所定値Ｔｈ２以上の場合（ＹＥＳの場合）、オブジェクトと映像が位置ずれを起こした可能性が高いことから、制御部２３０は透明表示部３００において映像の表示を停止する（Ｓ３１１）。これにより、オブジェクトに対応しない映像を表示することを防ぐことができる。また、オブジェクトを再度撮像する場合に、撮像した画像中に不要な映像が映ることを防止することもできる。
【００５８】
図５のフローチャートでは、電源を投入すると、撮像部２１０が連続してオブジェクトの像を撮像する例を示したが、消費電力削減のために、ユーザからの明示的な撮影指示を受けて撮像部２１０はオブジェクトの像を撮像してもよい。この場合の明示的な撮影指示は、透明表示部３００や筐体部２００に物理的なボタンを設けるか、あるいはソフトウェアによる論理的なボタンを設けて、このボタンの押下や選択で行えばよい。
【００５９】
図７はオブジェクトを抽出可能な範囲４００を透明表示部３００の中央部に限定した例を示している。この例では、“ＴＲＡＮＳＰＡＲＥＮＴ”の単語部分のみが範囲４００に含まれており、逐次翻訳の対象となっている。
【００６０】
（種々の変形例）
上述した実施形態は、文字列を含むオブジェクトを対象とする例を説明した。しかしながら、本実施形態は、文字列以外の情報を含むオブジェクトの像に対する画像認識を行う場合にも適用可能である。
【００６１】
例えば、オブジェクトは、動物、植物、人の顔、車両などであってもよい。この場合、画像認識部２２１は、オブジェクトを撮像した画像に施す認識アルゴリズムを、オブジェクトの種類に応じて変更すればよい。例えば、オブジェクトに人の顔が含まれる場合であれば人の顔用の認識アルゴリズムを用いればよい。また、記憶部２２３に記憶される複数の識別情報も認識アルゴリズムで得られる識別情報に対応させて変更する必要がある。例えば、オブジェクトに人の顔が含まれる場合は、典型的な複数の顔のパターンを識別情報として記憶部２２３に記憶しておくのが望ましい。
【００６２】
あるいは、オブジェクトに人の顔が含まれる場合には、複数の識別情報に対応させて複数の似顔絵を表示情報として記憶部２２３に記憶させておいてもよい。このように、表示情報は必ずしも文字情報に限定されない。
【００６３】
図５の透明表示部３００における映像の表示方法もオブジェクトに応じて変更してよい。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行うことができる。これら実施形態やその変形は、発明の範囲や趣旨に含まれると同様に、特許請求の範囲に記載された発明とその均等の範囲に含まれるものである。
【符号の説明】
【００６５】
２１０  撮像部
２２０  取得部
２２１  画像認識部
２２２  情報取得部
２２３  記憶部
２２４  送信部
２２５  受信部
２３０  制御部
３００  透明表示部
【図１】
2016045882.tif 000003
【図２】
2016045882.tif 000004
【図３】
2016045882.tif 000005
【図４】
2016045882.tif 000006
【図５】
2016045882.tif 000007
【図６】
2016045882.tif 000008
【図７】
2016045882.tif 000009